(57)【要約】【課題】サイズを小さくすることができる空気調和装置の室内機の提供。【解決手段】空気調和装置１００の室内機１は、室内熱交換器１０とプレフィルタ３０とを備えている。室内熱交換器１０は通過する空気との間で熱交換を行う。プレフィルタ３０は通過する空気を清浄化する。さらに、プレフィルタ３０の少なくとも一部は、室内熱交換器１０の風上側表面に接触するように取り付けられている。【選択図】図３
2009008285.tif 000002
【特許請求の範囲】
【請求項１】
通過する空気との間で熱交換を行う熱交換器（１０，２１０）と、
前記熱交換器（１０，２１０）の風上側表面の少なくとも一部に接触して取り付けられ、通過する空気を清浄化するフィルタ（３０，２３０）と、
を備える空気調和装置の室内機（１，２０１）。
【請求項２】
前記フィルタ（３０，２３０）は、少なくとも前記熱交換器（１０，２１０）との接触部分に撥水性を有する、
請求項１に記載の空気調和装置の室内機（１，２０１）。
【請求項３】
前記熱交換器（１０，２１０）の風上側表面は、少なくとも前記フィルタ（３０，２３０）との接触部分に撥水性を有する、
請求項１または２に記載の空気調和装置の室内機（１，２０１）。
【請求項４】
前記熱交換器（１０，２１０）は、親水性を有する第１熱交換部（１３）と、前記第１熱交換部（１３）の風上側に位置し撥水性を有する第２熱交換部（１８）とを有し、
前記フィルタ（３０，２３０）は、前記第２熱交換部（１８）の風上側表面に接触している、
請求項３に記載の空気調和装置の室内機（１，２０１）。
【請求項５】
前記フィルタ（３０，２３０）の風上側に位置する清掃機構（６０）を更に備える、
請求項１から４のいずれかに記載の空気調和装置の室内機（１，２０１）。
【請求項６】
前記清掃機構（６０）は、吸入口（６１ａ）が形成されている吸排気部（６１）と、前記吸排気部（６１）の内側に配置されるファン（６４）とを含む吸排気装置（６５）を有し、
前記吸入口（６１ａ）は、少なくとも前記熱交換器（１０，２１０）と前記フィルタ（３０，２３０）とが接触している接触部分に配置される、
請求項５に記載の空気調和装置の室内機（１，２０１）。
【請求項７】
前記清掃機構（６０）は、前記ファン（６４）によって吸引される塵埃を捕集する塵埃捕集部（６２）を更に有する、
請求項６に記載の空気調和装置の室内機（１，２０１）。
【請求項８】
前記清掃機構（６０）は、前記塵埃捕集部（６２）が捕集した塵埃を前記塵埃捕集部（６２）から除去する塵埃除去部（７０）を更に有する、
請求項７に記載の空気調和装置の室内機（１，２０１）。
【請求項９】
前記清掃機構（６０）は、前記ファン（６４）によって吸引される水分を捕捉する水分捕捉部（６３）を更に有する、
請求項５から８のいずれかに記載の空気調和装置の室内機（１，２０１）。
【請求項１０】
前記吸排気部（６１）の少なくとも一部は透水性材料からなる、
請求項６から９のいずれかに記載の空気調和装置の室内機（１，２０１）。
【請求項１１】
前記吸排気部（６１）は、前記吸入口（６１ａ）が形成されている先端ノズル（６５ａ）と、排気口（６１ｂ）が形成されており前記ファン（６４）を収容するファン収納部（６５ｃ）とを含み、
少なくとも前記先端ノズル（６５ａ）は前記フィルタ（３０）近傍を移動可能である、
請求項６から１０のいずれかに記載の空気調和装置の室内機（１，２０１）。
【発明の詳細な説明】
【技術分野】
【０００１】
本発明は、熱交換器ならびにフィルタを備える空気調和装置の室内機、特に、熱交換器とフィルタの少なくとも一部が接触している空気調和装置の室内機に関する。
【背景技術】
【０００２】
従来の空気調和装置の室内機では、室内空気取込口と熱交換器との間にフィルタが配置されているものが多い。このフィルタは、室内空気取込口から取り込んだ室内空気中の塵埃を除去することで、熱交換器が室内空気中に浮遊する塵埃によって汚染されることを防いでいる。例えば、特許文献１で開示されている空気調和装置の室内機では、フィルタは熱交換器に沿うように配置されている。
【特許文献１】特開平６−２２１６０４号公報
【発明の開示】
【発明が解決しようとする課題】
【０００３】
しかしながら、特許文献１の空気調和装置の室内機では、熱交換器とフィルタとの間には隙間が設けられている。このため、少なからず室内機のサイズが大きくなっている。
【０００４】
本発明の課題は、サイズを小さくすることができる空気調和装置の室内機を提供することにある。
【課題を解決するための手段】
【０００５】
第１発明に係る空気調和装置の室内機は、熱交換器とフィルタとを備えている。熱交換器は通過する空気との間で熱交換を行う。フィルタは通過する空気を清浄化する。さらに、フィルタの少なくとも一部は、熱交換器の風上側表面に接触して取り付けられている。
【０００６】
第１発明に係る空気調和装置の室内機では、フィルタの少なくとも一部が熱交換器の風上側表面に接触している。このため、熱交換器とフィルタとの隙間を縮めることができる。
【０００７】
これによって、空気調和装置の室内機のサイズを小さくすることができる。
【０００８】
第２発明に係る空気調和装置の室内機は、第１発明の空気調和装置の室内機であって、フィルタは、少なくとも熱交換器との接触部分に撥水性を有している。このため、フィルタと熱交換器との接触部分において、熱交換器から発生した凝縮水がフィルタに付着した場合、フィルタの表面から速やかに転がり落ちやすくなる。
【０００９】
これによって、凝縮水によってフィルタが目詰まりする可能性を低くすることができる。
【００１０】
第３発明に係る空気調和装置の室内機は、第１発明または第２発明の空気調和装置の室内機であって、熱交換器の風上側表面は、少なくともフィルタとの接触部分に撥水性を有する。このため、熱交換器から発生した凝縮水は、撥水性を有する熱交換器の風上側表面を速やかに流れ、熱交換器の風下側、または、下方に導かれる。したがって、熱交換器から発生した凝縮水が熱交換器からフィルタに導かれ難くなる。
【００１１】
これによって、凝縮水によってフィルタが目詰まりする可能性を更に低くすることができる。
【００１２】
第４発明に係る空気調和装置の室内機は、第３発明の空気調和装置の室内機であって、熱交換器は、第１熱交部と第２熱交換部とを有している。第１熱交換部は親水性を有している。第２熱交換部は、第１熱交換部の風上側に位置し、撥水性を有している。さらに、フィルタは、第２熱交換部の風上側表面に接触している。第２熱交換部で発生した凝縮水は風下側に位置する第１熱交換部に導かれるため、熱交換器で発生した凝縮水が熱交換器からフィルタに更に導かれ難くなる。
【００１３】
これによって、凝縮水によってフィルタが目詰まりする可能性を更に低くすることができる。
【００１４】
第５発明に係る空気調和装置の室内機は、第１発明から第４発明のいずれかの空気調和装置の室内機であって、清掃機構を更に備えている。清掃機構は、フィルタの風上側に位置し、熱交換器およびフィルタに付着した塵埃を吸引する。このため、熱交換器およびフィルタを清掃することができる。
【００１５】
なお、従来の室内機がその内側に清掃機構を備えた場合、従来の室内機にはフィルタと熱交換器との間に隙間が設けられている。このため、室内機のサイズが大きくなる可能性がある。しかし、この室内機では、フィルタと熱交換器との隙間が縮められている。したがって、室内機の内側に清掃機構を備えた場合、従来の室内機の内側に清掃機構を備えた場合と比較して、室内機のサイズを小さくすることができる。
【００１６】
第６発明に係る空気調和装置の室内機は、第５発明の空気調和装置の室内機であって、清掃機構は、吸排気部とファンとを含む吸排気装置を有している。吸排気部には吸入口が形成されている。ファンは、吸排気部の内側に配置され、熱交換器およびフィルタに付着した付着物を吸入口から吸排気部の内部空間に吸引する。また、吸入口は、少なくとも熱交換器とフィルタとが接触している接触部分に配置される。
【００１７】
第６発明に係る空気調和装置の室内機では、吸排気装置の吸入口が、熱交換器とフィルタとが接触している接触部分に少なくとも配置される。このため、熱交換器およびフィルタから付着物を同時に吸排気部の内部空間に吸引することができる。
【００１８】
これによって、熱交換器およびフィルタの両方から付着物を吸引することができる。
【００１９】
第７発明に係る空気調和装置の室内機は、第６発明の空気調和装置の室内機であって、清掃機構は、塵埃捕集部を更に有する。塵埃捕集部は、ファンによって吸引される塵埃を捕集する。
【００２０】
第７発明に係る空気調和装置の室内機では、清掃機構は、熱交換器およびフィルタに付着した塵埃がファンによって吸引される際、この塵埃を捕集する塵埃捕集部を有している。このため、熱交換器およびフィルタに付着した塵埃を同時に捕集することができる。
【００２１】
これによって、熱交換器およびフィルタの両方から塵埃を捕集することができる。
【００２２】
第８発明の空気調和装置の室内機は、第７発明の空気調和装置の室内機であって、清掃機構は、塵埃除去部を更に有する。塵埃除去部は、塵埃捕集部が捕集した塵埃を塵埃捕集部から除去する。このため、塵埃捕集部を清掃する労力を減らすことができる。
【００２３】
第９発明の空気調和装置の室内機は、第５発明から第８発明のいずれかの空気調和装置の室内機であって、清掃機構は、水分捕捉部を更に有する。水分捕捉部は、ファンによって吸引される水分を捕捉する。
【００２４】
第９発明の空気調和装置の室内機では、清掃機構は、吸排気部の内側に水分捕捉部を有している。このため、フィルタおよび熱交換器から吸引される水分を捕捉することができる。
【００２５】
これによって、排気中に水分が混入する可能性を減らすことができる。
【００２６】
第１０発明の空気調和装置の室内機は、第６発明から第９発明のいずれかの空気調和装置の室内機であって、清掃機構の吸排気部の少なくとも一部は、透水性材料からなる。このため、吸入口から吸排気部の内部空間に吸引された水分は、吸排気部の透水性の部分から吸排気部の外側へ排出される。
【００２７】
これによって、吸排気装置内に水分を溜まりにくくすることができる。
【００２８】
第１１発明の空気調和装置の室内機は、第６発明から第１０発明のいずれかの空気調和装置の室内機であって、清掃機構の吸排気部は、先端ノズルとファン収納部とを含む。先端ノズルには吸入口が形成されている。ファン収納部には、排気口が形成されており、内側にファンが収容されている。また、少なくとも先端ノズルはフィルタ近傍を移動可能である。吸入口は少なくとも熱交換器とフィルタとが接触している接触部分に配置されるため、少なくとも先端ノズルを移動させることによって、フィルタおよび熱交換器に付着した塵埃を取り除くことができる。
【発明の効果】
【００２９】
第１発明に係る空気調和装置の室内機では、サイズを小さくすることができる。
【００３０】
第２発明に係る空気調和装置の室内機では、凝縮水によってフィルタが目詰まりする可能性を低くすることができる。
【００３１】
第３発明に係る空気調和装置の室内機では、凝縮水によってフィルタが目詰まりする可能性を更に低くすることができる。
【００３２】
第４発明に係る空気調和装置の室内機では、凝縮水によってフィルタが目詰まりする可能性を更に低くすることができる。
【００３３】
第５発明に係る空気調和装置の室内機では、熱交換器およびフィルタを清掃することができる。
【００３４】
第６発明に係る空気調和装置の室内機では、熱交換器およびフィルタの両方から付着物を吸引することができる。
【００３５】
第７発明に係る空気調和装置の室内機では、熱交換器およびフィルタの両方から塵埃を捕集することができる。
【００３６】
第８発明に係る空気調和装置の室内機では、塵埃捕集部の清掃に要する労力を減らすことができる。
【００３７】
第９発明に係る空気調和装置の室内機では、排気中に水分が混入する可能性を減らすことができる。
【００３８】
第１０発明に係る空気調和装置の室内機では、吸排気装置内に水分を溜まりにくくすることができる。
【００３９】
第１１発明に係る空気調和装置の室内機では、少なくとも先端ノズルを移動させることによって、フィルタおよび熱交換器に付着した塵埃を取り除くことができる。
【発明を実施するための最良の形態】
【００４０】
＜空気調和装置の外観＞
本発明の一実施形態に係る室内機１を備える空気調和装置１００を図１に示す。この空気調和装置１００は、室内の壁面などに取り付けられる室内機１と、室外に設置される室外機３とを備えている。
【００４１】
室内機１内には、図２および図３に示すように、室内熱交換器１０が収容され、室外機３内には室外熱交換器２０が収容されており、各熱交換器１０，２０が冷媒配管により接続されることにより冷媒回路を構成している。
【００４２】
＜空気調和装置の冷媒回路の構成概略＞
空気調和装置１００の冷媒回路の構成を図２に示す。この冷媒回路は、主として室内熱交換器１０、アキュムレータ２１、圧縮機２２、四路切換弁２３、室外熱交換器２０および電動膨張弁２４で構成される。
【００４３】
室内機１に設けられている室内熱交換器１０は、接触する室内の空気との間で熱交換を行う。また、室内機１には、クロスフローファン１１が設けられている。クロスフローファン１１は、室内の空気を吸い込んで室内熱交換器１０に通し、熱交換が行われた後の空気を室内に排出する。クロスフローファン１１は、略円筒形状を有し、その周面には回転軸方向に羽根が設けられており、回転軸と交わる方向に空気流を生成する。このクロスフローファン１１は、室内機１内に設けられる室内ファンモータ１２によって回転駆動される。室内機１の詳細な構成については後に説明する。
【００４４】
室外機３には、圧縮機２２と、圧縮機２２の吐出側に接続される四路切換弁２３と、圧縮機２２の吸入側に接続されるアキュムレータ２１と、四路切換弁２３に接続される室外熱交換器２０と、室外熱交換器２０に接続された電動膨張弁２４とが設けられている。電動膨張弁２４は、液閉鎖弁２６を介して液連絡配管２６ａに接続されており、この液連絡配管２６ａを介して室内熱交換器１０の一端と接続されている。また、四路切換弁２３は、ガス閉鎖弁２７を介してガス連絡配管２７ａに接続されており、このガス連絡配管２７ａを介して室内熱交換器１０の他端と接続されている。また、室外機３には、室外熱交換器２０で熱交換された後の空気を外部に排出するためのプロペラファン２８が設けられている。このプロペラファン２８は、室外ファンモータ２９によって回転駆動される。
【００４５】
＜室内機の構成＞
室内機１は、図１に示すように、水平方向に長い室内機ケーシング２を備えている。室内機ケーシング２には、上述した室内熱交換器１０のほか、プレフィルタ３０や清掃装置６０等が収容されている。
【００４６】
〔室内機ケーシング〕
室内機ケーシング２は、図１および図３に示すように、上面６、下面７、前面８、側面９および背面５によって構成されている。上面６は室内熱交換器１０の上方を覆っており、この上面６には複数のスリット状の開口からなる室内空気取込口６ａが設けられている。下面７は室内熱交換器１０およびクロスフローファン１１の下方を覆っており、下面７には室内機１の長手方向に沿う開口からなる室内空気吹出口７ａが設けられている。また、室内空気吹出口７ａには、室内へと吹き出す空気が案内される水平フラップ７ｂが設けられている。この水平フラップ７ｂは、室内機１の長手方向に平行な軸を中心に回転自在に設けられており、フラップモータ（図示せず）によって回動することにより室内空気吹出口７ａの開閉を行うことができる。前面８は、概ね平坦に形成されており、室内熱交換器１０の前方を覆っている。側面９は室内熱交換器１０の側方を覆っている。背面５は、室内機１の背面を構成しており、室内熱交換器１０の後方を覆っている。
【００４７】
また、図３に示すように、室内熱交換器１０の下方には、熱交換時に室内熱交換器１０の表面に発生する水滴を受け取るためのドレンパン７ｃが設けられている。このドレンパン７ｃには、受け取った水滴を外部に排出するためのドレンホース（図示せず）が取り付けられている。冷房運転時には室内熱交換器１０が蒸発器として作用するため、室内熱交換器１０と接触する空気に含まれる水分が、室内熱交換器１０において凝縮し、水滴となって滴下する。ドレンパン７ｃは、このような水滴を受け取ってドレンホースによって排出するように構成されている。
【００４８】
〔室内熱交換器〕
室内熱交換器１０は、水平方向に長い形状を有しており、室内機ケーシング２の長手方向に平行に配置されている。また、室内熱交換器１０は、クロスフローファン１１の前方、上方および後部上方を取り囲むように取り付けられている。さらに、室内熱交換器１０は、側面視において、略逆Ｖ字型の断面形状を有している本体熱交換器１３と、本体熱交換器１３の外面側に配置される補助熱交換器１８とを有している。
【００４９】
本体熱交換器１３は、図３に示すように、第１本体熱交換器１４、第２本体熱交換器１５、第３本体熱交換器１６、第４本体熱交換器１７の４つの部分に分割されており、各本体熱交換器１４，１５，１６，１７がそれぞれ連結されて構成されている。
【００５０】
各本体熱交換器１４，１５，１６，１７は、図４に示すように、それぞれ水平方向に長い板状の形状を有している。また、各本体熱交換器１４，１５，１６，１７は、図３および図４に示すように、両側端で複数回折り返されてなる伝熱管１０ａと、伝熱管１０ａが挿通される複数のフィン１０ｂとから構成されている。伝熱管１０ａは、各本体熱交換器１４，１５，１６，１７の長手方向に平行に配置され、各本体熱交換器１４，１５，１６，１７の両側端においてＵ字型伝熱管１０ｃによって折り返されている。Ｕ字型伝熱管１０ｃは、各本体熱交換器１４，１５，１６，１７の両側面から室内熱交換器１０の長手方向に向けてそれぞれ突出している。また、フィン１０ｂは短冊状の薄肉な金属板である。各本体熱交換器１４，１５，１６，１７では、複数のフィン１０ｂとその両側の固定板（図示せず）とが所定間隔を隔てて互いに平行に配列されており、複数のフィン１０ｂと固定板とには、伝熱管１０ａが垂直に挿通されている。
【００５１】
第１本体熱交換器１４は、室内熱交換器１０の後側上部を構成している。第１本体熱交換器１４は、上端が下端よりも前方に位置するように傾斜して配置されており、クロスフローファン１１の上方から後部上方を覆うように配置されている。
【００５２】
第２本体熱交換器１５は、室内熱交換器１０の前側上部を構成している。第２本体熱交換器１５は、上端が下端よりも後側に位置するように傾斜して配置されており、クロスフローファン１１の上方を覆うように配置されている。また、第２本体熱交換器１５の上端と第１本体熱交換器１４の上端とが接合されている。すなわち、第２本体熱交換器１５と第１本体熱交換器１４とは側面視において逆Ｖ字型形状となるように組み合わされている。
【００５３】
第３本体熱交換器１６は、室内熱交換器１０の前側下端を構成している。第３本体熱交換器１６は、第２本体熱交換器１５の下方に配置されており、クロスフローファン１１の前方を覆うように配置されている。また、第２本体熱交換器１５の下端と第３本体熱交換器１６の上端とは接合されている。
【００５４】
第４本体熱交換器１７は、室内熱交換器１０の前側下端を構成している。第４本体熱交換器１７は、第３本体熱交換器１６の下方に配置されており、クロスフローファン１１の前方を覆うように配置されている。また、第３本体熱交換器１６の下端と第４本体熱交換器１７の上端とは接合されている。
【００５５】
本体熱交換器１３は、第１本体熱交換器１４、第２本体熱交換器１５、第３本体熱交換器１６および第４本体熱交換器１７が相互に固定され、一体化することによって形成されている。
【００５６】
また、本体熱交換器１３を構成するフィン１０ｂの表面には、親水性塗料がコーティングされており、親水性の処理が施されている。
【００５７】
補助熱交換器１８は、本体熱交換器１３の熱交換能力を補うための熱交換器であり、本実施形態では、本体熱交換器１３と同様、水平方向に長い板状の形状を有しており、両側端で複数回折り返されてなる伝熱管１０ａと、伝熱管１０ａが挿通される複数のフィン１０ｂとから構成されている。また、補助熱交換器１８は、第２本体熱交換器１５、第３本体熱交換器１６および第４本体熱交換器１７の外面であって、各本体熱交換器１５，１６，１７の前面側に連結されている。
【００５８】
また、補助熱交換器１８を構成するフィン１０ｂの表面には、撥水性塗料がコーティングされており、撥水性の処理が施されている。
【００５９】
〔プレフィルタ〕
プレフィルタ３０は、図３に示すように、室内熱交換器１０の前面側（空気流の上流側）の概ね全域を覆うように配置されており、室内熱交換器１０に向かって流入してくる空気に含まれる塵埃を除去している。また、プレフィルタ３０は、図４に示すように、フィルタ部３１と支持枠３２とを有する。なお、以下に説明する「左右」は、プレフィルタ３０が取り付けられた室内熱交換器１０が室内機１に備えられた状態での正面視における左右を意味している。
【００６０】
フィルタ部３１は、フッ素系樹脂から形成されており、その上下端、左右端および中央部を支持枠３２によって支えられ、空気中に含まれる塵埃を除去する。また、本実施形態では、フィルタ部３１は、フッ素系樹脂から形成されているが、フッ素系樹脂以外の撥水性材料（例えば、シリコン系樹脂等）で形成されていてもよい。また、フィルタ部３１は、少なくともその表面に撥水性を有していればよいため、フッ素系塗料やシリコン系塗料等の撥水性材料でコーティングされていてもよい。これによって、プレフィルタ３０の表面に落下した水滴が表面張力によって球状となりプレフィルタ３０の上面を転がり落ちやすくなっている。
【００６１】
支持枠３２は、室内熱交換器１０の長手方向の寸法と略同一寸法の細長い形状を有している。また、支持枠３２は、室内熱交換器１０に沿って覆い被せられるように、室内熱交換器１０と略同一形状である略逆Ｖ字型の断面形状となっている。また、支持枠３２には、長手方向および短手方向に沿って等間隔に爪部３４が設けられている（図３参照）。この爪部３４は、室内熱交換器１０を構成するフィン１０ｂの間に圧入されることによって、プレフィルタ３０の浮きやズレを防止する。なお、この爪部３４は、図３において、一部のみ図示されているが、上述のように支持枠３２の長手方向および短手方向に沿って等間隔に設けられている。
【００６２】
〔清掃装置〕
清掃装置６０は、図３、図５および図６に示すように、プレフィルタ３０および室内熱交換器１０に付着した塵埃を自動的に清掃する機構であり、本実施形態では、室内機ケーシング２の内側に配置されている。また、清掃装置６０は、清掃装置本体６５、塵埃捕集フィルタ６２および塵埃除去装置７０を有している。
【００６３】
〈清掃装置本体〉
清掃装置本体６５は、図６および図７に示すように、装置ケーシング６１、パット部材６７（図７（ｂ）参照）、エリミネータ６３および吸排気ファン６４を含む。装置ケーシング６１は、吸い込みノズル６５ａ、吸い込みダクト６５ｂ、およびファンケーシング６５ｃから構成されている。
【００６４】
吸い込みノズル６５ａは、図５に示すように、プレフィルタ３０の風上側表面に配置されており、正面視において、プレフィルタ３０の長手方向に平行な略直方体の形状を有している。また、図６および図７に示すように、吸い込みノズル６５ａには、吸い込みノズル６５ａの内部空間と吸い込みノズル６５ａの外部空間とを連通させる吸入口６１ａが形成されている。吸入口６１ａは、吸い込みノズル６５ａにおいてプレフィルタ３０の風上側表面に臨む面（以下、この面を対向面という）に形成されており、その平面視において、対向面の短手方向の略中央付近の部分が略長方形状に切り欠かれるように形成されている開口である。
【００６５】
また、吸い込みノズル６５ａは、プレフィルタ３０の風上側の面をプレフィルタ３０の短手方向に沿って移動可能である。さらに、吸い込みノズル６５ａには回転軸が設けられており、この回転軸を中心として９０度回転することで吸い込みノズル６５ａの対向面と後述するダストボックス７２の開口とが対向する（図３参照）。
【００６６】
また、吸い込みノズル６５ａの少なくとも一部は、親水加工された多孔体等の透水性を有する部材によって構成されている。
【００６７】
パット部材６７は、略長方形状のゴムであり、吸入口６１ａ近傍に配備されている。パット部材６７は、プレフィルタ３０に接触してプレフィルタ３０から塵埃を浮き上がらせる。また、本実施形態では、パット部材６７には、ゴムが適用されているが、ゴム以外の弾性を有する部材（例えばスポンジ等）、または、樹脂等からなる複数の線材を有するブラシ状部材が適用されてもよい。なお、パット部材６７に適用される部材には清掃対象物に適した部材が用いられることが望ましい。さらに、パット部材として、ゴムとブラシ状部材とを併用することで、更に塵埃を剥離させる効果を向上させることができる。
【００６８】
吸い込みダクト６５ｂは、図６に示すように、吸い込みノズル６５ａの内部空間とファン収納部６５ｃの内部空間とを連通させるために接続されるチューブ部材であって、吸い込みノズル６５ａの吸入口６１ａから吸い込みノズル６５ａの内部空間に吸い込んだ空気をファン収納部６５ｃの内部空間に流す。また、吸い込みダクト６５ｂは、一部が屈曲することによって、吸い込みノズル６５ａがプレフィルタ３０の表面上を移動して吸い込みノズル６５ａの位置が変化した場合においても、ファン収納部６５ｃへの空気流路を形成することができる。
【００６９】
エリミネータ６３は、図６に示すように、円盤形状を有しており、その寸法は吸い込みダクト６５ｂの内径寸法と略同一である。また、エリミネータ６３は吸い込みダクト６５ｂの内部に配備されている。さらに、本実施形態では、エリミネータ６３は、吸い込みノズル６５ａと吸い込みダクト６５ｂとの接続部近傍に配置されている。
【００７０】
ファンケーシング６５ｃは、図６に示すように、吸排気ファン６４を収容している。このファンケーシング６５ｃは、正面視において、右上方向に開口した排気口６１ｂと円弧状の壁面部６１ｃとを有している。
【００７１】
吸排気ファン６４は、吸排気モータ（図示せず）によって回転駆動されるシロッコファンである。吸排気ファン６４は、吸排気モータによって回転させられることで、吸入口６１ａから空気を取り込んで排気口６１ｂから空気を吹き出すように空気流を形成する。
【００７２】
〈塵埃捕集フィルタ〉
塵埃捕集フィルタ６２は、図７および図８に示すように、吸い込みノズル６５ａの内部に収容され、吸入口６１ａを覆うように配置されている。また、塵埃捕集フィルタ６２は、吸排気ファン６４の吸引動作により、吸入口６１ａから吸引したプレフィルタ３０の塵埃を捕集する集塵フィルタ部６２ａと、内側に集塵フィルタ部６２ａを配備するフィルタフレーム６２ｂとから構成される。
【００７３】
集塵フィルタ部６２ａは、表面が平滑で通気性のあるメッシュ状のステンレスからなり、図８に示すように、下面に開口が形成されている略直方体形状を有している。また、集塵フィルタ部６２ａの開口は、吸い込みノズル６５ａに形成されている吸入口６１ａの開口寸法と略同一寸法に形成されている。なお、本実施形態では、集塵フィルタ部６２ａにはメッシュ状のステンレスが適用されているが、ステンレスに限られることなく、銅等の金属部材やポリエチレンテレフタレート、ポリプロピレン、ナイロン等の樹脂材料が適用されてもよい。さらに、平織りや綾織り等のメッシュ状に限られることなく、塵埃を捕集することが可能であれば、不織布等が適用されてもよい。また、集塵フィルタ部６２ａの塵埃による目詰まりを防止するために、撥水処理または親水処理等の各種防汚染処理が施されてもよい。なお、集塵フィルタ部６２ａは、プレフィルタ３０から剥離した塵埃を捕集するため、プレフィルタ３０よりも目が細かいことが望ましい。
【００７４】
フィルタフレーム６２ｂは下面に開口が形成されている略直方体形状を有しており、フィルタフレーム６２ｂの側面および上面には空気通過孔６２ｃが形成されている。また、フィルタフレーム６２ｂは集塵フィルタ部６２ａを受容して支持している（図８（b）参照）。
【００７５】
〈塵埃除去装置〉
塵埃除去装置７０は、図９に示すように、バイブレータ７１とダストボックス７２とを含み、塵埃捕集フィルタ６２に捕集された塵埃を自動的に除去する。
【００７６】
バイブレータ７１は、塵埃捕集フィルタ６２に近接して配置されており、本実施形態では、吸い込みノズル６５ａの内側に配置されている。バイブレータ７１は、塵埃捕集フィルタ６２近傍で振動することによって、塵埃捕集フィルタ６２を振動させる。このため、集塵フィルタ部６２ａに付着している塵埃が振るい落とされる。また、本実施形態では、塵埃捕集フィルタ６２に溜まった塵埃を除去するために、バイブレータ７１が使用されているが、吸排気ファン６４を逆回転させることによって塵埃捕集フィルタ６２に溜まった塵埃が除去されてもよい。この場合、吸排気ファン６４を逆回転させることによって、排気口６１ｂから空気が取り込まれ吸入口６１ａから空気が吹き出されるように空気流が形成される。これによって、塵埃捕集フィルタ６２に溜まった塵埃を除去することができる。
【００７７】
ダストボックス７２は、集塵フィルタ部６２ａから振るい落とされた塵埃を溜めるための容器である。ダストボックス７２は、図３に示すように、上面が開口した箱状の形態をしており、プレフィルタ３０の下方に設けられている。また、本実施形態では、集塵フィルタ部６２ａから振るい落とされた塵埃を溜めるための容器としてダストボックス７２が適用されているが、ダストボックス７２の代わりに、ドレンパン７ｃに塵埃が溜められてもよい。ドレンパン７ｃに塵埃が溜められた場合、溜まっている塵埃をドレン水で流して屋外に排出することができる。
【００７８】
また、本実施形態では、塵埃捕集フィルタ６２で捕集した塵埃を処理するために、塵埃除去装置７０としてバイブレータ７１とダストボックス７２とが用いられている。しかし、バイブレータ７１およびダストボックス７２の代わりに、塵埃除去装置として、室内機１の内側から室外に延びる排気用ノズルと、室内機１の内側から室外の方向に空気流を生成可能な排気ファンとを適用することもできる。塵埃除去装置として排気用ノズルと排気ファンとが適用された場合、塵埃捕集フィルタ６２で捕集された塵埃を、排気ファンが生成する空気流によって排気用ノズルを介して室内機１の内側から室外に排出することができる。
【００７９】
〈清掃装置の清掃動作〉
以下、清掃装置６０におけるプレフィルタ３０および室内熱交換器１０の清掃動作ついて説明する。
【００８０】
清掃装置６０において、吸排気モータを駆動させると、吸い込みノズル６５ａがプレフィルタ３０の風上側表面をプレフィルタ３０の短手方向に沿って移動し、プレフィルタ３０および室内熱交換器１０に付着した塵埃が空気と共に吸入口６１ａから吸い込まれる。そして、吸入口６１ａから吸い込まれた空気は、塵埃捕集フィルタ６２を介してフィルタフレーム６２ｂに形成されている空気通過孔６２ｃから吸い込みノズル６５ａの内部空間へと吸入される。吸い込みノズル６５ａの内部空間へと吸入された空気は、吸い込みダクト６５ｂを介してファンケーシング６５ｃの排気口６１ｂから排気される。なお、吸入口６１ａから吸い込まれた空気は、塵埃捕集フィルタ６２を通過する際に、空気中に含まれる塵埃が集塵フィルタ部６２ａによって捕集される。
【００８１】
また、吸い込みノズル６５ａが所定回数（例えば、４回等）上下方向に移動して塵埃の捕集動作を行ったとき、吸い込みノズル６５ａは、ダストボックス７２の上面の開口と吸い込みノズル６５ａの吸入口６１ａとが対向するように移動する。その後、バイブレータ７１が塵埃捕集フィルタ６２に振動を加える。したがって、塵埃捕集フィルタ６２に捕集されている塵埃がダストボックス７２に振るい落とされる。
【００８２】
このため、プレフィルタ３０および室内熱交換器１０に付着している塵埃を自動で捕集し、処理することができる。これによって、清掃作業を行う負担を軽減させることができる。
【００８３】
なお、この清掃装置６０は、制御部（図示せず）の判断により自動的に、または、外部からの指令により起動される。
【００８４】
＜特徴＞
（１）
従来の空気調和装置の室内機では、室内空気取込口と室内熱交換器との間にプレフィルタが配置されており、室内熱交換器とプレフィルタとの間には間隙が設けられている。このため、少なからず室内機のサイズが大きくなっている。
【００８５】
これに対して、上記実施形態では、プレフィルタ３０と室内熱交換器１０の風上側表面とが接触している。このため、室内熱交換器１０とプレフィルタ３０との間の隙間をなくすことができる。
【００８６】
これによって、空気調和装置１００の室内機１のサイズを小さくすることができている。
【００８７】
（２）
上記実施形態では、プレフィルタ３０は撥水性を有している。このため、プレフィルタ３０と室内熱交換器１０との接触部分において、室内熱交換器１０から発生したドレン水をプレフィルタ３０の表面から速やかに離脱させることができる。
【００８８】
これによって、プレフィルタ３０がドレン水によって目詰まりする可能性を低くしている。
【００８９】
（３）
上記実施形態では、室内熱交換器１０は、親水性を有する本体熱交換器１３と撥水性を有する補助熱交換器１８とを有している。補助熱交換器１８は本体熱交換器１３の外面であって、その風上側表面とプレフィルタ３０とが接触している。このため、補助熱交換器１８で発生したドレン水は本体熱交換器１３に導かれる。
【００９０】
これによって、プレフィルタ３０がドレン水によって目詰まりする可能性を低くしている。
【００９１】
（４）
清掃装置６０が室内機ケーシング２の内側に配置されている。この室内機１では、プレフィルタ３０と室内熱交換器１０とは接触している。このため、プレフィルタ３０と室内熱交換器１０との間に隙間が設けられている室内機の内側に清掃装置６０が配置される場合と比較して、室内機１のサイズを小さくすることができている。
【００９２】
（５）
上記実施形態では、清掃装置６０における吸い込みノズル６５ａの吸入口６１ａは、室内熱交換器１０とプレフィルタ３０とが接触している接触部分に配置されている。このため、室内熱交換器１０およびプレフィルタ３０に付着している塵埃やドレン水等を吸入口６１ａから吸い込みノズル６５ａの内部空間に吸引することができる。
【００９３】
これによって、室内熱交換器１０およびプレフィルタ３０の両方から塵埃やドレン水等を吸引することができている。
【００９４】
（６）
上記実施形態では、清掃装置６０は、室内熱交換器１０およびプレフィルタ３０から剥離した塵埃を捕集する塵埃捕集フィルタ６２を有している。このため、室内熱交換器１０およびプレフィルタ３０から剥離した塵埃を同時に捕集することができる。
【００９５】
これによって、室内熱交換器１０およびプレフィルタ３０の両方から塵埃を捕集することができている。
【００９６】
（７）
上記実施形態では、清掃装置６０は、塵埃捕集フィルタ６２が捕集した塵埃を自動的に除去する塵埃除去装置７０を有している。このため、塵埃捕集フィルタ６２に接触することなく、塵埃捕集フィルタ６２から塵埃を自動的に除去することができる。
【００９７】
これによって、塵埃捕集フィルタ６２の清掃に要する労力を減らすことができている。
【００９８】
（８）
上記実施形態では、清掃装置６０は、エリミネータ６３を有している。このため、室内熱交換器１０で発生したドレン水を捕捉することができる。
【００９９】
これによって、排気中に水分が混入する可能性を減らすことができている。
【０１００】
（９）
上記実施形態では、清掃装置６０の吸い込みノズル６５ａは、透水性を有する多孔体によって構成されている。このため、吸入口６１ａから吸い込みノズル６５ａの内部空間に吸引された水分は、吸い込みノズル６５ａの透水性部分から吸い込みノズル６５ａの外側へ排出される。
【０１０１】
これによって、清掃装置本体６５の内側に水分を溜まりにくくすることができている。
【０１０２】
＜変形例＞
上記実施形態では、プレフィルタ３０と接触した室内熱交換器１０を備える室内機として、壁掛け型の室内機１を挙げているが、図１０に示すように、本発明は、天井埋込型の空気調和装置の室内機２０１に適用されてもよい。
【０１０３】
なお、図１０において、符号２１０は室内熱交換器を示し、符号２３０はプレフィルタを示している。
【産業上の利用可能性】
【０１０４】
本発明によれば、空気調和装置の室内機のサイズを小さくすることができる。
【図面の簡単な説明】
【０１０５】
【図１】本発明の実施形態に係る空気調和装置の外観斜視図。
【図２】本発明の実施形態に係る空気調和装置の冷媒回路図。
【図３】本発明の実施形態に係る空気調和装置の室内機の縦断面図（図１のIII−IIIに相当）。
【図４】プレフィルタおよび室内熱交換器の分解斜視図。
【図５】プレフィルタ、室内熱交換器および清掃装置の概略斜視図。
【図６】清掃装置本体の概念図。
【図７】（ａ）吸い込みノズルの縦断面図。（ｂ）吸い込みノズルをプレフィルタ側から見た概略平面図。
【図８】（ａ）塵埃捕集フィルタの分解斜視図。（ｂ）塵埃捕集フィルタの外観斜視図。
【図９】吸い込みノズルおよび塵埃除去装置の縦断面図。
【図１０】本発明の実施形態の変形例に係る天井埋込型の空気調和装置の室内機の縦断面図。
【符号の説明】
【０１０６】
１，２０１    室内機
１０，２１０    室内熱交換器（熱交換器）
１３            本体熱交換器（第１熱交換部）
１８            補助熱交換器（第２熱交換部）
３０，２３０    プレフィルタ（フィルタ）
６０            清掃装置（清掃機構）
６１            装置ケーシング（吸排気部）
６１ａ          吸入口
６２            塵埃捕集フィルタ（塵埃捕集部）
６３            エリミネータ（水分捕捉部）
６４            吸排気ファン（ファン）
６５            清掃装置本体（吸排気装置）
７０            塵埃除去装置（塵埃除去部）
【図１】
2009008285.tif 000003
【図２】
2009008285.tif 000004
【図３】
2009008285.tif 000005
【図４】
2009008285.tif 000006
【図５】
2009008285.tif 000007
【図６】
2009008285.tif 000008
【図７】
2009008285.tif 000009
【図８】
2009008285.tif 000010
【図９】
2009008285.tif 000011
【図１０】
2009008285.tif 000012